(57)【要約】エレベータ制御システムと通信する少なくとも１つのエレベータ備品を含むエレベータシステムにおいてホール及びかご呼びを開始するシステム及び方法であって、少なくとも１つのエレベータ備品は、その中に配置された備品通信装置を備える。方法は、モバイルデバイスを操作して、移動要求を受信するステップと、モバイルデバイスを操作して、移動要求に基づいて移動信号を送信するステップと、少なくとも１つのエレベータ備品を操作して、移動信号を受信するステップと、少なくとも１つのエレベータ備品を操作して、移動信号に基づいて呼びボタンを作動させるステップとを含む。
2018521932.tif 000002
【特許請求の範囲】
【請求項１】
エレベータ制御システムと、
前記エレベータ制御システムに動作可能に結合されたエレベータ備品と、
前記エレベータ備品に動作可能に結合された備品通信装置であって、少なくとも無線で情報を通信するように動作可能な前記備品通信装置と、
を含む、エレベータシステム。
【請求項２】
前記備品通信装置は、送信機と受信機のうちの少なくとも１つを含む、請求項１に記載のエレベータシステム。
【請求項３】
前記エレベータ備品は、ホール備品を含む、請求項１または２に記載のエレベータシステム。
【請求項４】
前記備品通信装置は、モバイル通信デバイスから第１の移動信号を受信するように構成され、且つ、その信号に応答して、ホール呼びを実行するように構成される、請求項１〜３のいずれかに記載のエレベータシステム。
【請求項５】
前記第１の移動信号は、移動方向を示す、請求項４に記載のエレベータシステム。
【請求項６】
前記エレベータ備品は、かご備品を含む、請求項１または２に記載のエレベータシステム。
【請求項７】
前記備品通信装置は、モバイル通信デバイスから第２の移動信号を受信するように構成され、且つ、その信号に応答して、かご呼びを実行するように構成される、請求項１または２または６に記載のエレベータシステム。
【請求項８】
前記第２の移動信号は、行先階を示す、請求項７に記載のエレベータシステム。
【請求項９】
エレベータ制御システムと通信する少なくとも１つのエレベータ備品を含むエレベータシステムのエレベータサービスを開始する方法であって、前記少なくとも１つのエレベータ備品は、その中に配置された備品通信装置と、前記備品通信装置と通信するモバイルデバイスを含み、
（ａ）移動要求を受信するように、前記モバイルデバイスを動作させ、
（ｂ）前記移動要求に基づいて移動信号を送信するように、前記モバイルデバイスを動作させ、
（ｃ）前記移動信号を受信するように、前記少なくとも１つのエレベータ備品を動作させ、
（ｄ）前記移動信号に基づいて呼びボタンを作動させるように、前記少なくとも１つのエレベータ備品を動作させること
を含む、方法。
【請求項１０】
ステップ（ａ）は、前記モバイルデバイスに記憶されたプログラムを動作させて、選択した行先階に部分的に基づいて、前記移動要求を受信する、請求項９に記載の方法。
【請求項１１】
前記移動信号は、移動方向と行先階のうちの少なくとも１つを示す、請求項９または１０に記載の方法。
【請求項１２】
前記少なくとも１つのエレベータ備品は、ホール備品とかご備品からなる群から選ばれる、請求項９〜１１のいずれかに記載の方法。
【請求項１３】
ハウジングと、
前記ハウジング内に配置される少なくとも１つの応答インタフェースと、
前記ハウジング内に配置され、前記少なくとも１つの応答インタフェースに動作可能に結合される備品通信装置と、
を含む、エレベータ備品。
【請求項１４】
前記通信デバイスは、送受信機と受信機のうちの少なくとも１つを含む、請求項１３に記載のエレベータ備品。
【請求項１５】
前記備品通信装置は、モバイルデバイス通信装置から移動信号を受信するように構成される、請求項１３または１４に記載のエレベータ備品。
【請求項１６】
前記少なくとも１つの応答インタフェースは、ホール備品とかご備品からなる群から選択される、請求項１３〜１５のいずれかに記載のエレベータ備品。
【請求項１７】
前記移動信号は、移動方向と行先階のうちの少なくとも１つを示す、請求項１３〜１６のいずれかに記載のエレベータ備品。
【発明の詳細な説明】
【技術分野】
【０００１】
ここに開示の実施形態は、一般的に、エレベータシステムに関し、より詳細には、エレベータシステムのホール及びかご呼びを開始するシステム及び方法に関する。
【背景技術】
【０００２】
本出願は、国際特許出願であり、２０１５年８月６日に出願された「ＳＹＳＴＥＭ  ＡＮＤ  ＭＥＴＨＯＤ  ＯＦ  ＩＮＩＴＩＡＴＩＮＧ  Ａ  ＨＡＬＬ  ＡＮＤ  ＣＡＲ  ＣＡＬＬ  ＦＯＲ  ＡＮ  ＥＬＥＶＡＴＯＲ  ＳＹＳＴＥＭ」と題するＵＳ仮特許出願第６２／２０１，８７９号の優先権を主張し、その全体を本明細書に組み込む。
【０００３】
多層階の建物においては、現代的なエレベータシステムが不可欠である。エレベータシステムを理想的に使用するには、エレベータサービスの要求及び派遣の効率的で、便利な手段が必要である。一般的に、エレベータサービスを求める乗客は、最初に、エレベータ（または、エレベータの列）のすぐ近くの通路にあるエレベータ備品を介してサービスを開始しなければならない。エレベータかごが到着すると、乗客は、乗り込んで、次に、かご備品の複数のボタンから行先階を選択する。
【発明の概要】
【発明が解決しようとする課題】
【０００４】
サービスの要求を行うと、乗客は、かごの到着を数分間、待つことが必要な場合があり、ある状況においては、かごボタンへのアクセスが妨害される場合がある。よって、エレベータ呼びを開始し、所望の行先階を選択するより便利で速い方法が必要とされる。
【課題を解決するための手段】
【０００５】
一態様において、エレベータシステムが提供される。エレベータシステムは、エレベータ制御システムに動作可能に結合されたエレベータ備品と、エレベータ備品に動作可能に結合された備品通信装置であって、情報を少なくとも無線で通信するように動作可能な備品通信装置とを含む。ある実施形態においては、備品通信装置は、送信機と受信機のうちの少なくとも１つを含む。前述の実施形態のいずれかにおいて、エレベータ備品は、ホール備品を含む。この実施形態においては、備品通信装置は、モバイル通信デバイスから第１の移動信号を受信するように構成され、且つ、その信号に応答してホール呼びを実行するように構成される。第１の移動信号は、移動方向を示す。
【０００６】
別の実施形態においては、エレベータ備品は、かご備品を含む。この実施形態においては、備品通信装置は、モバイル通信デバイスから第２の移動信号を受信するように構成され、且つ、その信号に応答してかご呼びを実行するように構成される。第２の移動信号は、行先階を示す。
【０００７】
一態様において、エレベータ備品が提供される。エレベータ備品は、ハウジングと、ハウジング内に備えられた少なくとも１つの応答インタフェースと、ハウジング内に備えられ、少なくとも１つの応答インタフェースに動作可能に結合された備品通信装置とを含む。
【０００８】
エレベータ備品の任意の実施形態において、通信装置は、送受信機と受信機のうちの少なくとも１つを含む。エレベータ備品の任意の実施形態において、備品通信装置は、モバイルデバイス通信装置から移動信号を受信するように構成され、移動信号は、移動方向と行先のうちの少なくとも１つを示す。エレベータ備品の任意の実施形態において、少なくとも１つの応答インタフェースは、ホール備品とかご備品からなる群から選択される。
【０００９】
一態様において、エレベータシステムのホール呼びとかご呼びを開始する方法が提供される。方法は、モバイルデバイスを操作して、移動要求を受信するステップと、モバイルデバイスを操作して、移動要求に基づいて移動信号を送信するステップと、少なくとも１つのエレベータ備品を操作して、移動信号を受信するステップと、少なくとも１つのエレベータ備品を操作して、移動信号に基づいて呼びボタンを作動させるステップとを含む。
【００１０】
方法の任意の実施形態において、移動要求を開始することは、モバイルデバイスに記憶されたプログラムを動作させて、選択した行先階に部分的に基づいて、移動要求を受信することを含む。方法の任意の実施形態において、移動信号は、移動方向と行先階のうちの少なくとも１つを示す。方法の任意の実施形態において、少なくとも１つのエレベータ備品は、ホール備品とかご備品からなる群から選ばれる。
【００１１】
他の実施形態も開示する。
【図面の簡単な説明】
【００１２】
【図１】エレベータシステムの概略図を示す。
【図２】エレベータシステムのホール及びかご呼びを開始する方法の概略フロー図を示す。
【発明を実施するための形態】
【００１３】
本開示の原理の理解を促進するために、ここで図に示す実施形態を参照し、実施形態を記載するのに特定の言語が使用される。しかし、それによって本開示の範囲の制限を意図していないことは理解されよう。
【００１４】
図１は、おおまかに１０で示されるエレベータシステムの選択した部分を示す。エレベータシステム１０は、エレベータ制御システム１４に動作可能に結合された少なくとも１つのエレベータ備品１２を含む。一実施形態においては、少なくとも１つのエレベータ備品１２は、ホール備品１２Ａを含む。別の実施形態においては、少なくとも１つのエレベータ備品１２は、かご備品１２Ｂを含む。エレベータ制御システム１４は、移動、速度、及び、加速、減速、ドアを開ける速さと遅延、レベリング及びホール備品信号等、エレベータサービスの全ての面を調整するように構成される。
【００１５】
例えば、乗客１６が、典型的に、エレベータサービスを開始したい時、乗客１６は、ホール備品１２Ａに近付いて、上の方にあるボタン１８（すなわち、上昇ボタン）を押して、上方向への移動を要求し、下の方にあるボタン２０（すなわち、下降ボタン）を押して、下方向への移動を要求する。
【００１６】
エレベータ制御システム１４は、エレベータかご２２を要求が行われた階に派遣する。一般的には、エレベータかご２２到着後、乗客１６が乗り込み、次に、乗客の行先階を示すかご備品１２Ｂからボタン２４を選択する。エレベータかご２２は、次に、要求された行先階に移動し、到着後、乗客１６は、エレベータかご２２から出る。
【００１７】
本実施形態においては、少なくとも１つのエレベータ備品１２は、その中に配置された備品通信装置２６を備える。ある実施形態においては、備品通信装置２６は、送受信機と受信機のうちの少なくとも１つを含む。例えば、備品通信装置２６は、非制限的な実施例を１つ挙げると、ＢＬＵＥＴＯＯＴＨ  ＬＥ（登録商標）対応モジュールのような送受信機を含んでよい。備品通信装置２６は、乗客１６が少なくとも１つのエレベータ備品１２に無線で通信するのを可能にするようにさらに構成される。
【００１８】
本実施形態においては、乗客１６は、モバイルデバイス２８に記憶されたアプリケーションプログラムを動作させて、エレベータサービスを要求する。モバイルデバイス２８は、備品通信装置２６と無線で通信するように構成されたモバイルデバイス通信装置（図示せず）も含む。モバイルデバイス２８は、非制限的な実施例を２〜３挙げると、例えば、携帯電話、タブレットデバイス、または、家もしくは他の構造の外に人が持ち運ぶことができる任意の装置等、本明細書に開示の機能を行うように動作可能な任意のモバイルデバイスであってよいことは理解されよう。
【００１９】
図２は、エレベータシステム１０のホール呼び及びかご呼びを開始する一般的に１００で示される方法を示す。方法１００は、移動要求を受信するようにモバイルデバイス２８動作させるステップ１０２を含む。ある実施形態においては、移動要求を開始することは、モバイルデバイスに記憶されたプログラムを動作させて、選択した行先階に部分的に基づいて、移動要求を受信することを含む。
【００２０】
方法１００は、移動要求に基づいて移動信号を送信するように、モバイルデバイス２８を動作させるステップ１０４をさらに含む。ある実施形態においては、移動信号は、第１の移動信号３０Ａを含み、第１の移動信号３０Ａは、移動方向を示す。別の実施形態においては、移動信号は、第２の移動信号３０Ｂを含み、第２の移動信号３０Ｂは、行先階を示す。
【００２１】
方法１００は、移動信号３０を受信するように、少なくとも１つのエレベータ備品１２を動作させるステップ１０６をさらに含む。例えば、備品通信装置２６Ａは、第１の備品信号３０Ａを受信するように動作可能で、備品通信装置２６Ｂは、第２の移動信号３０Ｂを受信するように動作可能である。方法１００は、移動信号に基づいて呼びボタン１８、２０または２４を作動させるように、少なくとも１つのエレベータ備品１２を動作させるステップ１０８をさらに含む。
【００２２】
本明細書に開示の方法１００の実施例は、乗客１６がモバイルデバイス２８に記憶されたアプリケーションで７階から１１階への移動の要求を入力するシナリオを含む。乗客１６が、エレベータシステム１０に近付くと、モバイルデバイス２８は、上方向に移動する希望を示す移動信号をホール備品通信装置２６Ａに送信する。
【００２３】
ホール備品１２Ａは、第１の移動信号に基づいて移動の方向を自動的に決定してよいことは理解されよう。例えば、ホール備品１２Ａは、７階のその位置が分かり、１１階への第１の移動信号を受信する。ホール備品１２Ａは、第１の移動信号を受信して、行先階が現在位置より上にあるので、上方向呼びが必要であることを決定する。
【００２４】
あるいは、ホール備品１２Ａは、乗客１６の現在の階（例えば、７階）を表す信号をモバイルデバイス２８に送信してよい。乗客１６は、次に、所望の行先階（例えば、１１階）を入力するだけでよい。乗客１６が、エレベータシステム１０に近付くと、モバイルデバイス２８は、上方向に移動する希望を示す第１の移動信号をホール備品通信装置２６Ａに送信する。
【００２５】
別の実施例においては、乗客１６が、典型的に、７階から１１階へのエレベータ呼びを１２：００ＰＭに開始する場合、モバイルデバイス２８は、上昇ホール呼びと１１階へのかご呼びを表す移動信号の送信を指定時刻から一時間以内に開始してよい。移動信号は、指定時刻の前であれば、いつ開始してもよいことは理解されよう。乗客１６が、エレベータシステム１０に近付くと、モバイルデバイス２８は、上方向ホール呼びと１１階へのかご呼びを示す移動信号を送信する。
【００２６】
移動信号を受信すると、ホール備品１２Ａは、乗客１６が上方向への移動を要求したことの確認として、上昇ボタン１８を作動、点灯させる。乗客１６は、下方向への移動も要求してよく、この場合、第１の移動信号は、下方向への移動を示すことは理解されよう。従って、ホール備品１２Ａは、下降ボタン２０を作動、点灯させる。
【００２７】
エレベータかご２２が到着すると、乗客１６は、エレベータかご２２に乗り込み、モバイルデバイス２８は、１１階への移動を希望することを示す第２の移動信号をかご備品通信装置２６Ｂに送信する。第２の移動信号を受信すると、かご備品１２Ｂは、乗客が１１階への移動を要求したことの確認として、１１階を表すかごボタン２４を作動、点灯させる。乗客は、エレベータシステム１０がサービスする任意の階を要求してよく、この場合、第２の移動信号は、要求した階を表す適切なかごボタン２４を作動、点灯させることは理解されよう。エレベータかご２２は、次に、要求した行先階に移動し、到着すると、乗客１６は、エレベータかご２２を出る。
【００２８】
エレベータシステム１０は、少なくとも１つのエレベータ備品１２内に配置された備品通信装置２６を含んで、乗客が、備品のボタンを手動で押す必要なく、エレベータサービスを素早く、シームレスに要求するのを可能にすることは理解されよう。
【００２９】
発明を図面及び前述の説明で詳細に示し、記載したが、それらは、例示的なものであって、制限的なものではないと考えられるべきであり、特定の実施形態のみを示し、記載したが、発明の趣旨の範囲内にある全ての変更及び修正は、保護されるべきものとすることは理解されよう。
【図１】
2018521932.tif 000003
【図２】
2018521932.tif 000004
【国際調査報告】
2018521932.tif 000005
2018521932.tif 000006